(57)【特許請求の範囲】
【請求項１】
垂直に起立した少なくとも３本の支柱（１、２）を有する案内塔（３）と、この案内塔の内部を上下動自在に設けられ水密性を備えたシェルタ本体（４）とを備え、平常時には前記シェルタ本体（４）は上下動可動範囲の最下部に位置し、このシェルタ本体（４）内に地上から直接出入りできる一方で、津波の襲来時にはシェルタ本体（４）に作用する浮力でこのシェルタ本体（４）が前記案内塔（３）に案内されつつ浮上するようにし、
すべての前記各支柱（１、２）が地面に対して一つの円環状に配置されるとともに、シェルタ本体（４）を前記円環状に配置された支柱（１、２）によって案内される側壁面を備えた円柱形状とした津波シェルタ。
【請求項２】
前記支柱（１、２）及びシェルタ本体（４）の一方側に案内溝（１３）、他方側に突起部（１４）を形成し、前記シェルタ本体（４）が上下動する際に、前記突起部（１４）が案内溝（１３）で案内されるようにした請求項１に記載の津波シェルタ。
【請求項３】
前記案内塔（３）の上端側を開放端とし、津波の高さが案内塔（３）の高さよりも高い場合に、前記シェルタ本体（４）が前記案内塔（３）の上端側から抜け出るようにした請求項１又は２に記載の津波シェルタ。
【発明の詳細な説明】
【技術分野】
【０００１】
この発明は、津波が襲来した際に、近隣の住民や海岸近くにいる人々が逃げ込んで避難するための津波シェルタに関する。
【背景技術】
【０００２】
津波シェルタは、主に海の沿岸部に設けられ、その沿岸部を津波が襲来する恐れがあるときに、近隣の住民等が逃げ込んで避難するためのものである。津波シェルタとして、例えば特許文献１に示すタイプのものがある。この津波シェルタは、想定される津波の高さよりも高い位置（地域によっては２０〜３０ｍ程度）に避難ステージを設け、この避難ステージに併設された階段を上ってこの避難ステージ上で待機するようにしたものである。このように避難ステージ上で待機することによって、津波によって流されるという最悪の事態を回避することができる。
【先行技術文献】
【特許文献】
【０００３】
【特許文献１】特開２０１１−１２２４２４号公報
【発明の概要】
【発明が解決しようとする課題】
【０００４】
特許文献１に係る津波シェルタは、避難の際に、上記のように高い位置に設けられた避難ステージまで階段を用いて上る必要があり、高齢者、障害者、小さな子供連れの親等は、その避難に手間取ることがある。このため、地震の発生から津波の襲来まで時間的猶予のない沿岸部では、住民等全員の避難が間に合わない事態も生じ得る。
【０００５】
そこで、この発明は、高齢者等のように階段を上って速やかに避難することが困難な住民等も、津波襲来の前に確実に避難できるようにすることを課題とする。
【課題を解決するための手段】
【０００６】
上記の課題を解決するため、この発明は、垂直に起立した少なくとも３本の支柱を有する案内塔と、この案内塔の内部を上下動自在に設けられ水密性を備えたシェルタ本体とを備え、平常時には前記シェルタ本体は上下動可動範囲の最下部に位置し、このシェルタ本体内に地上から直接出入りできる一方で、津波の襲来時にはシェルタ本体に作用する浮力でこのシェルタ本体が前記案内塔に案内されつつ浮上する津波シェルタを構成した。
【０００７】
このように平常時にシェルタ本体に地上から直接出入りできるようにすることによって、高齢者等でもこのシェルタ本体に容易に避難することができる。また、このシェルタ本体が水密性を備えているため、津波の襲来に伴ってシェルタ本体が浮上する際にその内部に水が入り込む恐れはなく、シェルタ本体に避難した住民等の安全は確保される。しかも、このシェルタ本体は案内塔の内部を上下動するのみであって、基本的に他の場所に流されることはないため、津波が引いた後の救助作業において容易に救助されやすい。
【０００８】
この支柱は、津波のうねりによってシェルタ本体が横転したり、隣り合う支柱の隙間からシェルタ本体が逸脱したりしないように安定的に案内できる限りにおいて、その本数、配置、形状等を適宜決めることができる。
【０００９】
前記構成においては、すべての前記各支柱が地面に対して一つの円環状に配置されるとともに、シェルタ本体を前記円環状に配置された支柱によって案内される側壁面を備えた円柱形状とした構成とすることができる。
【００１０】
このようにすべての支柱を一つの円環状に配置するとともにシェルタ本体を円柱形状とすると、津波がどの方向から襲来しても案内塔及びシェルタ本体に作用する津波による水圧がほぼ均等となる。このため、この水圧に起因して案内塔やシェルタ本体が破損する恐れは低く、高い安全性が確保される。さらに、津波の際には海水とともに流木や瓦礫等の異物が流れてくることが多い。この異物が支柱やシェルタ本体に引っ掛かると、この引っ掛かった異物によって海水の流動が妨げられ、支柱等に負荷される水圧がさらに高まるという問題が生じる。
【００１１】
そこで、支柱を上記のように配置するとともに、シェルタ本体を円柱形状とすれば、海水が案内塔等を迂回するように流動し、異物が支柱やシェルタ本体に引っ掛かりにくい。このため、この異物に起因して水圧が高まり、案内塔やシェルタ本体に破損が生じる問題を回避することができる。また、シェルタ本体の側壁面が支柱によって案内されるため、津波の襲来に伴ってこのシェルタ本体が上昇する際に、このシェルタ本体に垂直軸に対する傾きが生じにくい。このため、このシェルタ本体内に避難した住民等に安心感を与えることができる。
【００１２】
前記各構成においては、前記支柱及びシェルタ本体の一方側に案内溝、他方側に突起部を形成し、前記シェルタ本体が上下動する際に、前記突起部が案内溝で案内されるようにすることもできる。
【００１３】
このようにすると、シェルタ本体に傾きが生じた際に案内溝と突起部とが噛み合った状態となって、このシェルタ本体がそれ以上傾くのが防止される。このため、避難した住民等の安心感がさらに向上する。特にシェルタ本体が円柱形状の場合、浮上に伴ってシェルタ本体が軸周りに回転しやすく、このシェルタ本体内部に避難した住民等に遠心力が作用して身体的な負担が生じることがある。そこで、突起部が案内溝で案内されるようにすることにより、シェルタ本体の回転が防止され、避難した住民等の身体的な負担を軽減することができる。
【００１４】
前記各構成においては、前記案内塔の上端側を開放端とし、津波の高さが案内塔の高さよりも高い場合に、前記シェルタ本体が前記案内塔の上端側から抜け出るようにすることができる。
【００１５】
前記案内塔は、最大津波高さを想定した上でその高さが決定されるが、場合によってはその想定高さを超える高さの津波が襲来することもあり得る。この場合、案内塔の上端側が係止端となっていて、この係止端以上にシェルタ本体が上昇できない場合、このシェルタ本体が津波にのみ込まれてしまうことになる。すると、津波の水圧によってシェルタ本体が破損する等の不測の事態が生じる恐れがある。そこで、前記上端側を開放端として、シェルタ本体が案内塔から自在に抜け出るようにしておけば、このシェルタ本体が水没する恐れはなく、シェルタ本体は案内塔外に流されるものの、海面を浮遊して少なくともその内部に避難した住民等の生命を確保することができる。
【発明の効果】
【００１６】
この発明は、津波シェルタにおいて、少なくとも３本の支柱を有する案内塔を構成し、この案内塔の内部に水密性を備えたシェルタ本体を設け、津波が襲来した際に、シェルタ本体の浮力でこのシェルタ本体が案内塔内を浮上するようにした。この構成においては、平常時においてシェルタ本体は地上に位置しているため、高齢者等が容易にこのシェルタ本体に避難することができる。このため、より多くの人命を救助することができる。
【図面の簡単な説明】
【００１７】
【図１】本願発明に係る津波シェルタの第一実施形態を示す正面図
【図２】図１に示す津波シェルタの斜視図
【図３】図１に示す津波シェルタの平面図
【図４】図１に示す津波シェルタの要部を示す平面図
【図５】本願発明に係る津波シェルタの第二実施形態を示す正面図
【図６】図５に示す津波シェルタの要部を示す分解斜視図
【図７】図５に示す津波シェルタの要部を示す平面図
【発明を実施するための形態】
【００１８】
この発明に係る津波シェルタの第一実施形態を図１から図４に示す。この津波シェルタは、垂直に起立した８本の主支柱１と、主支柱１よりも若干細めで各主支柱１の間に２本ずつ設けられた補助支柱２とを有する案内塔３と、この案内塔３の内部を上下動自在に設けられ水密性を備えたシェルタ本体４とを備えたものである。主支柱１及び補助支柱２は、水平方向環状に設けられた補強部材５で連結されるとともに、主支柱１はその根元近傍に斜め柱６が固定されることによって補強されている。この案内塔３は、その地域で想定される津波の最大高さを考慮に入れた上でその高さが決定される。例えば、海岸線に近い入り江等においては、津波が局所的に高くなることがあるため、その高さを２０〜３０ｍ程度と比較的高めにすることも考えられる。
【００１９】
案内塔３は地面に直接建設してもよいが、図１等に示すように、地面にベース部７を設け、このベース部７に案内塔３を建設する方がより安定するため好ましい。このベース部７には、地面との段差を解消するスロープ８が設けられていて、このスロープ８を利用することで、車椅子の利用者もスムーズに避難することができる。また、案内塔３には、住民等に避難を呼び掛けたり、津波情報を知らせたりするためのスピーカ９が設けられている。
【００２０】
このように案内塔３を複数の「支柱」で構成し、津波の水流や津波とともに流れてくる異物を各支柱の隙間から逃がすように構成したことにより、例えば壁面体で案内塔３を構成した場合と比較して、その水流による水圧等によって案内塔３が倒壊する危険性を大幅に小さくすることができる。
【００２１】
シェルタ本体４は、鋼鉄製からなる円柱形状をしており、その内部が避難スペースとなっている。シェルタ本体４の側壁の外径は案内塔３の内径よりもやや小さい程度となっていて（図４等を参照）、案内塔３内での上下動がスムーズになされる。津波がうねりを伴って襲来した場合には、主支柱１あるいは補助支柱２がシェルタ本体４の側壁と当接して、案内塔３の内部でこのシェルタ本体４が大きく傾かないようになっている。このため、シェルタ本体４に避難した住民等の安心感が大きい。このシェルタ本体４の材質として、本実施形態のように鋼鉄を用いる他、繊維強化プラスチック等のように、津波の際に流木や瓦礫等の異物が衝突しても容易に破損しない強度の高いものを用いることができる。前記避難スペースの広さは、津波シェルタを設置した地域の人口等を考慮して適宜変更することができるが、例えば最大で２００〜３００人程度の避難を想定する場合、１００ｍ２程度とすることができる。
【００２２】
シェルタ本体４の側壁には窓１０とドア１１が設けられている。避難した住民等は、津波の襲来状況をこの窓１０から直接確認できるようになっている。この窓１０は、津波に伴う水圧に耐える必要があるため、船舶等に用いられるような円形の窓１０とするのが好ましい。外部を視認する必要がないと考えられる場合は、このシェルタ本体４の強度を一層高めるため、窓１０がない構成とすることもできる。
【００２３】
シェルタ本体４の天井部にはハッチ１２が設けられている。津波が去った後は、周囲に流木等の異物が散乱していることが予想され、この異物によって、シェルタ本体４のドア１１を開けることができない事態も生じ得る。また、水位が下がってシェルタ本体４が地面に付いた際に、主支柱１又は補助支柱２とドア１１が干渉して、このドア１１を開けることができない事態も生じ得る。そこで、天井にハッチ１２を形成しておいて、このハッチ１２からも脱出し得るようにしておけば、津波後の救助作業を一層スムーズに行うことができる。このハッチ１２は、シェルタ本体４の天井から上向きにあまり突出しないように設けるのが好ましい。大きく突出していると、津波の襲来に伴って流木等の異物がハッチ１２に衝突して、このハッチ１２が破損する恐れがあるためである。このハッチ１２を設けない構成としても、津波シェルタの機能自体には何ら問題はない。
【００２４】
本実施形態に係るシェルタ本体４は、床、側壁、天井が、それぞれ厚み方向に一枚の鋼板から構成される一重壁構造としたが、二枚の鋼板の間に空洞を形成した二重壁構造とすることができる。このように二重壁構造とすることで、万が一シェルタ本体４の外壁（二重壁の外側の壁）が流木等の異物によって破損した場合でも、内壁（二重壁の内側の壁）がシェルタ本体４内に水が流入するのを阻止することができ、この津波シェルタの安全性が高まる。さらに、内外壁の間に発泡ウレタン等の発泡樹脂材を設けると、この内外壁の間に水が流入するのを防止することができ、シェルタ本体４の浮力を確保できる。このため、この津波シェルタの安全性が一層高まる。
【００２５】
案内塔３の上端側は、シェルタ本体４の抜け止めのための係止部材がない開放端となっている。このため、案内塔３の高さ以上の想定を超える高さの津波が襲来した場合に、シェルタ本体４が案内塔３内で水没することなく、この案内塔３の上端から抜け出ることができる。この場合、シェルタ本体４は津波とともに流されることになるが、海上を浮上したままの状態を保つため救助活動において救助されやすい。
【００２６】
この津波シェルタのシェルタ本体４は、図１等に示すように、平常時は地上に位置している。このため、高齢者、障害者、小さな子供を連れた親等でも、階段を上ることなく容易にシェルタ本体４に避難することができる。そして、津波が襲来して水面ＷＬが上昇した時には、このシェルタ本体４はその浮力で案内塔３内を浮上する（図１中の仮想線を参照）。これによって、シェルタ本体４に避難した住民等の生命が守られる。
【００２７】
この津波シェルタは、例えば集会所や自治会館のように、住民等が日常的に利用する施設として用いるのが好ましい。普段からこの津波シェルタを利用する習慣を身に付けておけば、津波の襲来という非常事態においても、津波シェルタへの避難行動をスムーズに行うことができるためである。
【００２８】
シェルタ本体４内には、収容人数を考慮した上で、避難した住民等が、数日間程度自力で生きながらえることができる程度の食料、飲料水、医薬品、毛布、トイレ、バッテリー等を備えておくのが好ましい。また、シェルタ本体４は、津波襲来時に傾斜することもあり得るため、その内部にはできるだけ段差部、突起物等を設けないようにするとともに、内壁面等にある程度の緩衝機能（クッション材等）を設けておくのが安全の面からより好ましい。
【００２９】
この津波シェルタは、津波によって破損しないように頑丈に造られているため、津波が引いた後も、当面の間の仮設住宅として、そのまま使用することができる。このため、住民等の不便を極力軽減することができる。
【００３０】
なお、この実施形態においては太さの異なる主支柱１と補助支柱２で案内塔３を構成したが、主支柱１のみで（同じ太さの支柱のみで）この案内塔３を構成することもできる。また、シェルタ本体４をスムーズに上下動し得る範囲において、各支柱１、２の本数を適宜変更することもできる。
【００３１】
この発明に係る津波シェルタの第二実施形態を図５から図７を示す。この津波シェルタは、案内塔３を構成する主支柱１に案内溝１３を形成するとともに、シェルタ本体４の側面に突起部１４を形成し、シェルタ本体４が案内塔３を上下する際に、突起部１４が案内溝１３で案内されるように構成したものである。このようにすることで、津波の襲来に伴ってシェルタ本体４が浮上する際に、シェルタ本体４のその軸周りの回転と傾斜を防止することができる。このため、このシェルタ本体４に避難した住民等が回転や傾斜による不安を感じる恐れはない。
【００３２】
上記の各実施形態では、シェルタ本体４の形状を円柱形状としたが、この形状はこれに限定されるものではない。例えば、シェルタ本体４を球形とすることもできる。球形とすることで、津波に伴う水圧の影響を低減でき、この水圧によってシェルタ本体４が破損するのを極力防止できる可能性があるためである。また、案内塔３は断面円形状のものに限られず、例えば長方形状となるように主支柱１及び補助支柱２を配置するようにしてもよい。
【符号の説明】
【００３３】
１  主支柱（支柱）
２  補助支柱（支柱）
３  案内塔
４  シェルタ本体
５  補強部材
６  斜め柱
７  ベース部
８  スロープ
９  スピーカ
１０  窓
１１  ドア
１２  ハッチ
１３  案内溝
１４  突起部
ＷＬ  水面
【図１】
0005608915.tif 000002
【図２】
0005608915.tif 000003
【図３】
0005608915.tif 000004
【図４】
0005608915.tif 000005
【図５】
0005608915.tif 000006
【図６】
0005608915.tif 000007
【図７】
0005608915.tif 000008